(57)【要約】      （修正有）【課題】口腔内で自浄作用の無い不潔域を効率よく磨くのに好適なＶ字型歯ブラシを提供する。【解決手段】ヘッドとグリップからなる歯ブラシにおいて、グリップ側が開放したＶ字状の植毛をヘッドに設ける。植毛は、適数本の繊維からなる毛束をＶ字状に配列して植設することが出来、Ｖ字状の非開放側先端部に複数の毛束を植設してもよい。更にＶ字状の非植毛部分に着脱可能なミニブラシを有することができる。【選択図】図１
0003142558.tif 000002
【実用新案登録請求の範囲】
【請求項１】
ヘッドとグリップからなる歯ブラシにおいて、グリップ側が開放したＶ字状の植毛をヘッドに有することを特徴とするＶ字型歯ブラシ。
【請求項２】
適数本の繊維からなる毛束をＶ字状に配列して植設したことを特徴とする請求項１記載のＶ字型歯ブラシ。
【請求項３】
Ｖ字状の非開放先端部に複数の毛束を植設してなることを特徴とする請求項１又は２記載のＶ字型歯ブラシ。
【請求項４】
Ｖ字状の非植毛部分に着脱可能なミニブラシを有することを特徴とする請求項１〜３記載のＶ字型歯ブラシ。
【請求項５】
ミニブラシが複数の毛束を単列に植毛してなることを特徴とする請求項４記載のＶ字型歯ブラシ。
【考案の詳細な説明】
【技術分野】
【０００１】  本考案は口腔内において自浄作用の無い不潔域を効率よく磨くのに好適なＶ字型歯ブラシに関するものである。
【背景技術】
【０００２】  歯を磨く際に重要になるのは、自浄作用の無い不潔域をいかに効率よく磨くかである。【０００３】  不潔域とは、〔図９〕に示すように、歯牙１と歯茎２の境目の歯頚部３、隣接歯との接点４から歯茎２にかけての部分、及び咬合面の溝５である。【０００４】  まずは、臼歯部の歯頚部３を効率よく磨きたいのであるが、歯牙１の形状は、最大膨隆部６から歯頚部３にかけてアンダーカット部７があり、非常に磨き難い。
【考案の開示】
【考案が解決しようとする課題】
【０００５】  一般的に、歯周病や歯頚部３の虫歯を予防するためには、〔図１０〕に示すように歯軸に対し４５度に歯ブラシ８を当てて、３ｍｍ程度の微振動で磨くバス法が、最良と推奨されるが、臼歯部を磨く場合、歯ブラシ８の中央部の植毛が歯牙１の咬頭９によって押し広げられることで、実際は歯頚部７に毛先がフィットし難い。【０００６】  そこで、歯ブラシ８の中央部にある植毛を排し、歯ブラシの両サイドのみに植毛した歯ブラシが有効となる。つまり不潔域の歯頚部７にのみ直接毛先が当たるようにするためである。【０００７】  次に、歯ブラシの方向であるが、歯牙の頬舌径が一致していても、不潔域を清掃することは不可能である。そこで、バス法等のように歯軸に対し４５度の角度で磨くことが推奨されている。【０００８】  しかし歯牙７の高径は、一般的に犬歯＞第一小臼歯＞第二小臼歯＞第一大臼歯＞第二大臼歯と奥に行くほど低くなっているため、歯周病を予防するためには、〔特許文献１〕により提案されている並行に植毛された歯ブラシではなく、奥ほど小さく、手前ほど大きく開いたＶ字型が、咬頭９をまたいで効率よく不潔域である歯頚部３に毛先をフィットさせることが出来る。
【特許文献１】  特開平８−１６４０２５号公報
【０００９】  又歯ブラシのヘッドの部分が、グリップ側に開いた台形になっていることで、より奥を磨きやすい形になる。
【課題を解決するための手段】
【００１０】  本考案は、口腔内で自浄作用の無い不潔域を効率よく磨くのに好適なＶ字型歯ブラシを提供することを目的とするものである。【００１１】  本考案の第１のＶ字型歯ブラシは、ヘッドとグリップからなる歯ブラシにおいて、グリップ側が開放したＶ字状の植毛をヘッドに有することを特徴とする。【００１２】  本考案の第２のＶ字型歯ブラシは、適数本の繊維からなる毛束をＶ字状に配列して植設したことを特徴とする。【００１３】  本考案の第３のＶ字型歯ブラシは、第１又は第２のＶ字型歯ブラシにおいて、Ｖ字状の非開放側先端部に複数の毛束を植設してなることを特徴とする。【００１４】  本考案の第４のＶ字型歯ブラシは、第１〜第３のＶ字型歯ブラシにおいて、Ｖ字状の非植毛部分に着脱可能なミニブラシを有することを特徴とする。【００１５】  本考案の第５のＶ字型歯ブラシは、第４のＶ字型歯ブラシにおいて、ミニブラシが複数の毛束を単列に植毛してなることを特徴とする。
【考案の効果】
【００１６】
【００１７】  本考案の第１のＶ字型歯ブラシは、歯牙の高径が、一般的に犬歯＞第一小臼歯＞第二小臼歯＞第一大臼歯＞第二大臼歯と奥に行くほど低くなっているため、奥ほど小さく、手前ほど大きく開いたＶ字型が、咬頭をまたいで効率よく不潔域である歯頚部に毛先をフィットさせることができ、歯周病を予防することが出来る。
又歯ブラシのヘッドの部分が、グリップ側に開いた台形になっていることで、より奥を磨きやすい形になる。【００１８】  本考案の第２のＶ字型歯ブラシは、適数本の繊維からなる毛束により、適度の摩擦力と耐久性が得られ、歯頚部、溝部、歯間部が効率よく磨かれる。【００１９】  本考案の第３のＶ字型歯ブラシは、Ｖ字状の非開放側先端部に複数の毛束を有するので、Ｖ字型の先端部の植毛が多くなることによって、ブラシ先端部の毛先に十分なコシが生じ、最後臼歯の遠心部を効率よく磨くことが出来る。【００２０】  本考案の第４のＶ字型歯ブラシは、Ｖ字状の非植毛部分に着脱可能なミニブラシを有するので、中央の植毛を排した部分に独立した可撤性のミニブラシを着脱することで３通りの磨き方が出来る。
（１）ミニブラシを装着した状態で、普通の歯ブラシのように全体を磨く。
（２）ミニブラシを撤去した状態で、Ｖ字型の植毛として、不潔域を磨く。
（３）ミニブラシだけで、爪楊枝のように歯間に入れ込むようにして磨く。【００２１】  本考案の第５のＶ字型歯ブラシにより、歯を１本ずつ不潔域を確実に磨くことが出来る。
【考案を実施するための最良の形態】
【実施例】
【００２２】
【００２３】    以下、本考案の第１実施形態を〔図１〕に基づいて説明する。【００２４】  歯ブラシ１１は先細のヘッド１２と細長のネック部１３とグリップ（図示せず）からなり、前記ヘッド１２に複数の繊維からなる毛束１４がＶ字状に配列するよう植設されている。両側の毛束列１５、１６の間隔は先端側を犬歯や第一小臼歯の径と同等程度とし、開放側端部の間隔は第一大臼歯や第二大臼歯の径と同程度とする。又、毛束１４数や毛束列１５、１６の間隔は使用者の年齢、性別等を考慮して適宜変更することが出来る。なお、〔図１〕中〔図９〕と同一のものは同一の符号で示す。【００２５】  歯ブラシ１１には中央部の植毛が無いため、〔図２〕に示す如くバス法等のように歯軸に対し４５度の角度で磨くと、歯ブラシの両サイドのみに植毛した毛束列１６、１７が咬合面の溝５と、不潔域の歯頚部３に毛先が直接且つ同時に当たるようになる。【００２６】  毛束列１５、１６の間隔はＶ字状に広幅部から狭幅部まで連続的に幅が変化しているので、歯牙１の幅径に合わせて、歯牙１に当てる部分を選択することができ、最適の状態で全ての歯を磨くことが出来る。【００２７】  歯牙１の高径は、一般的に犬歯＞第一小臼歯＞第二小臼歯＞第一大臼歯＞第二大臼歯と奥に行くほど低くなっているため、歯周病を予防するためには、Ｕ字型ではなく、〔図３〕（イ）（ロ）に示すように、奥ほど小さく、手前ほど大きくひらいたＶ字型が、咬頭６をまたいで効率よく不潔域である歯頚部３に毛先をフィットさせることが出来る。【００２８】  又歯ブラシ１１のヘッド１２の部分が、グリップ側に開いた台形になっていることで、より奥を磨きやすい形になる。又、毛先が歯軸に対し４５度の角度を維持することで、歯頚部３だけでなく、同じく不潔域の咬合面の溝５も同時に清掃出来る。この際も、口腔内の奥に位置する第２大臼歯の頬舌径より、第１第臼歯の頬舌径が広いことから、Ｖ字型の植毛の方が、不潔域である歯牙中央の溝５を磨きやすくなる。【００２９】  〔図４〕に示すように、歯牙１を跨ぐように歯ブラシ１１を微振動させることにより、内側と外側の歯頚部３を磨くことが出来る。この場合においても、毛束列１５、１６はＶ字状に広幅部から狭幅部まで連続的に幅が変化しているので、歯牙１の幅径に合わせて、歯牙１に当てる部分を選択することができ、最適の状態で全ての歯について前後の頚部を磨くことが出来る。【００３０】  次に、歯ブラシを前後に微振動させ複数歯を同時に磨く方法ではなく、磨き難い口蓋側（上顎）及び舌側（下顎）を１歯ずつ磨く場合のことを考えてみたい。この際は、〔図５〕（イ）（ロ）に示すよう歯ブラシを上顎なら下４５度の方向、下顎なら上４５度の方向に往復させる磨き方をする。両側の毛束列１５、１６は歯牙１によってガイドされるように歯間部に入り込みやすくなる。【００３１】  歯牙の幅径は、大臼歯・小臼歯等、解剖学的に様々な形状をしており、個人差もあるため、平行に植毛されたＵ字型では、植毛幅が一定になるため、それぞれの歯牙の幅径にフィットさせ、隣接した歯間の不潔域にたまった汚れを取ることは、不可能である。
しかしながらＶ字型植毛は、それぞれの歯牙１の幅径に合わせて、一番適合する幅を選択しながら磨くことが出来る。【００３２】  〔図６〕は本考案の第２実施形態であり、前記第１実施形態と同様の構成において、Ｖ字状の非開放側先端部に複数の毛束１７を植設した歯ブラシ１８である。【００３３】  このようにＶ字型の先端部の植毛を多くすることによって、毛先に十分なコシが生じ、最後臼歯の遠心部を効率よく磨くことが出来る。ブラシの先端部の植毛が増えることでブラシの先端の形状が、若干広がる。この際も、ブラシ両サイドの植毛が、グリップに近い部分が、開いていることが、重要になる。腰が強くなるということは。動かしにくくなるのであるが、グリップに近い側ほど植毛幅が大きいことで、解剖学的に凹んでいる歯頚部及び中心溝に植毛がフィットし、ガイドの役割をなし、磨き難い最後臼歯部の清掃を容易なものとする。【００３４】  〔図７〕及び〔図８〕は本考案の第３実施形態であり、前記第１実施形態と同様の構成において、Ｖ字状の非植毛部分に着脱可能なミニブラシ１９を有する歯ブラシ２０である。ミニブラシ１９は毛束２１が単列且つ直線状に配列して植設されており、ヘッド１２及びネック部１３の植毛側に凹設された合同形の凹溝に嵌め込まれる。【００３５】  中央の植毛を排した部分に独立した可撤性のミニブラシ１９を装着することで３通りの磨き方が出来る。
（１）可撤部のミニブラシ１９を装着した状態で、普通の歯ブラシのように全体を磨く。
（２）可撤部のミニブラシ１９を撤去した状態で、Ｖ字型の植毛として、不潔域を磨く。
（３）可撤部のミニブラシ１９だけで、爪楊枝のように歯間に毛束列を入れ込むようにして磨く。【００３６】  可撤性のミニブラシ１９により、歯の不潔域を１本ずり確実に磨くことが出来る。【００３７】  ミニブラシの毛束は複数列としてもよい。
【図面の簡単な説明】
【００３８】
【図１】  本考案の第１実施形態にかかるＶ字型歯ブラシの部分説明図である。
【図２】  本考案の第１実施形態にかかるＶ字型歯ブラシの第１使用態様の説明図である。
【図３】  本考案の第１実施形態にかかるＶ字型歯ブラシの第２使用態様の説明図である。
【図４】  本考案の第１実施形態にかかるＶ字型歯ブラシの第３使用態様の説明図である。
【図５】  本考案の第１実施形態にかかるＶ字型歯ブラシの第４使用態様の説明図である。
【図６】  本考案の第２実施形態にかかるＶ字型歯ブラシの部分説明図である。
【図７】  本考案の第３実施形態にかかるＶ字型歯ブラシの部分説明図である。
【図８】  本考案の第３実施形態にかかるＶ字型歯ブラシにおける、ミニブラシの説明図である。
【図９】  口腔内の不潔域の説明図である。
【図１０】  従来の歯ブラシによる歯磨き状態の説明図である。
【符号の説明】
【００３９】  １  歯牙
２  歯茎
３  歯頚部
５  溝
７  アンダーカット部
８  歯ブラシ
１１  Ｖ字型歯ブラシ
１２  ヘッド
１３  ネック部
１４  毛束
１５  毛束列
１６  毛束列
１７  毛束
１８  Ｖ字型歯ブラシ
１９  ミニブラシ
２０  Ｖ字型歯ブラシ
２１  毛束
【図１】
0003142558.tif 000003
【図２】
0003142558.tif 000004
【図３】
0003142558.tif 000005
【図４】
0003142558.tif 000006
【図５】
0003142558.tif 000007
【図６】
0003142558.tif 000008
【図７】
0003142558.tif 000009
【図８】
0003142558.tif 000010
【図９】
0003142558.tif 000011
【図１０】
0003142558.tif 000012